(57)【要約】【課題】機構の大幅な変更を行わずに低コストにすると共に機器サイズを最小限にとどめて帳票の連続処理を可能とする。【解決手段】磁気テープから所定の情報を読取る例えばＭＳヘッド１３と、帳票に印字された情報を読取るスキャナ１４と、印字情報に基づいて帳票に印字を行う印字ヘッド１５を有し、下側の給排紙口１２から給紙された帳票を印字ヘッド１５まで搬送し、フラッパ１６を切換えて、印字ヘッド１５で印字情報が印字された帳票を上側の給排紙口１１から排出する帳票処理装置に、帳票を下側の給排紙口へ給紙する帳票給紙手段２２と、上側の給排紙口から排紙する帳票を収容する帳票収容機構２４と備えた処理ユニット２を取付ける。【選択図】  図１
2005040973.tif 000002
【特許請求の範囲】
【請求項１】
所定の情報が印字されると共に所定の情報が記憶された磁気テープが所定位置に貼付された帳票を給紙又は排紙するための複数の給排紙口と、前記複数の給排紙口のいずれかから給紙された帳票を所定位置に搬送する第１の搬送手段と、前記磁気テープから前記所定の情報を読取る第１の情報読取手段と、前記帳票に印字された情報を読取る第２の情報読取手段と、印字情報に基づいて帳票に印字を行う印字手段と、前記印字手段で印字情報が印字された帳票を前記帳票が給紙された給排紙口と異なるいずれかの給排紙口から排紙するために搬送する第２の搬送手段と、前記第１の搬送手段と前記第２の搬送手段とを切換える切換手段とを備えた帳票処理装置に取付ける処理ユニットにおいて、
帳票を前記複数の給排紙口のいずれかに給紙する帳票給紙手段と、この帳票給紙手段で帳票を給紙した給排紙口と異なる給排紙口から排紙する帳票を収容する帳票収容手段とを具備したことを特徴とする処理ユニット。
【請求項２】
前記帳票給紙手段および帳票収容手段は、帳票を所定枚数積載可能であることを特徴とする請求項１に記載の処理ユニット。
【請求項３】
前記帳票給紙手段より前記帳票収容手段を上方に配置したことを特徴とする請求項１又は２に記載の処理ユニット。
【請求項４】
所定の情報が印字されると共に所定の情報が記憶された磁気テープが所定位置に貼付された帳票を給紙又は排紙するための複数の給排紙口と、前記複数の給排紙口のいずれかから給紙された帳票を所定位置に搬送する第１の搬送手段と、前記磁気テープから前記所定の情報を読取る第１の情報読取手段と、前記帳票に印字された情報を読取る第２の情報読取手段と、印字情報に基づいて帳票に印字を行う印字手段と、前記印字手段で印字情報が印字された帳票を前記帳票が給紙された給排紙口と異なるいずれかの給排紙口から排紙するために搬送する第２の搬送手段と、前記第１の搬送手段と前記第２の搬送手段とを切換える切換手段とを備えた帳票処理装置に取付ける処理ユニットにおいて、
帳票を前記複数の給排紙口のいずれかに給紙する帳票給紙手段とこの帳票給紙手段で帳票を給紙した給排紙口と異なる給排紙口から排紙する帳票を収容する帳票収容手段とを具備した処理ユニットを外部に取付け可能な取付手段を具備し、前記給紙手段で給紙される帳票が前記印字手段へ搬送されるときに、前記切換手段を前記第２の情報読取手段より下流側に配置したことを特徴とする帳票処理装置。
【請求項５】
所定の情報が印字されると共に所定の情報が記憶された磁気テープが所定位置に貼付された帳票を給紙するための複数の給紙口と、前記複数の給紙口のいずれかから給紙された帳票を所定位置に搬送する前記給紙口に対応した複数の搬送手段と、前記磁気テープから前記所定の情報を読取る第１の情報読取手段と、前記帳票に印字された情報を読取る第２の情報読取手段と、印字情報に基づいて帳票に印字を行う印字手段と、前記複数の搬送手段で搬送された帳票を前記印字部へ搬送するために搬送手段を切換える切換え手段と、前記搬送手段で搬送され所定の処理が施された帳票を外部の帳票を収容するために設けられた帳票収容手段へ排出する排出手段とを備えた帳票処理装置に取付ける処理ユニットにおいて、
帳票を前記複数の給紙口の少なくとも２つより多くに給紙する帳票給紙手段を具備したことを特徴とする処理ユニット。
【発明の詳細な説明】
【０００１】
【発明の属する技術分野】
本発明は、帳票を処理する帳票処理装置及びその帳票処理装置に取付ける処理ユニットに関する。
【０００２】
【従来の技術】
従来、金融機関等の窓口業務において通帳や伝票を処理する際には、帳票処理装置、例えば、通帳伝票プリンタが用いられる。この窓口業務は、通帳処理と同時に伝票処理を行う場合あるため、通帳と伝票とを同時に受付けられる２インサータタイプの通帳伝票プリンタが用いられる。この通帳伝票プリンタは通帳と伝票とを上下２段のインサータで同時に受付け、１トランザクションにおける通帳と伝票との処理の自動化を実現することができるものである。具体的には、オペレータが上側インサータに伝票、下側インサータに通帳を同時に挿入すると通帳伝票プリンタは、通帳処理をしてから自動的に通帳を排出した後、伝票を吸入して伝票の印字を行い伝票を排出する。このため、オペレータは、通帳と伝票の入れ換え及び通帳処理命令の実行と伝票処理命令の実行を都度実施せずに一度の伝票セットと実行命令で業務処理を済ますことができる。また通帳伝票プリンタには、印字機構が通帳に対して印字を行う時に退避路／印字部インサータ切換弁を切換えて伝票インサータにより伝票を伝票退避路に搬送し、通帳／伝票インサータ切換弁を切換えて伝票インサータ・印字搬送部により通帳を印字部に搬送することでイメージ読取り部による伝票の内容の読取りを印字機構による通帳への印字とを並行して行うものもある（例えば特許文献１参照）。
【０００３】
【特許文献１】
特開平８−３１００７０号公報
【０００４】
【発明が解決しようとする課題】
しかしながら、窓口業務で通帳伝票プリンタを用いて行う業務には、通帳処理と伝票処理を同時に伴わない業務がある。例えば、郵便局の窓口業務における払込票や積立集金票の処理には伝票処理のみで通帳処理は伴わない。また、この振込票の処理や積立集金票の処理は通帳処理は伴わないが大量の伝票処理を行う必要がある。上述の通帳伝票プリンタでは、通帳と伝票とを同時に処理する場合には適したものであるが、伝票処理だけを連続的に行う必要がある場合には適した構成をしていない。通帳伝票プリンタにこのような処理を行うための機能を有した機構部を常設することも考えられるが、全ての窓口の通帳伝票プリンタで必ずしも必要とする機能ではないため、この機構を新たに設けると通帳伝票プリンタに大幅な設計変更等が必要となり余計なコストが発生することになる。また、装置の大型化につながってしまうため窓口で使用する装置はできる限り小型化したいという顧客の要望を満たさないものとなってしまう。
【０００５】
本発明は上記事情に鑑みてなされたものであって、その目的は、機構の大幅な変更を行わずに低コストにすると共に機器サイズを最小限にとどめて帳票の連続処理を可能とする帳票処理装置及びその帳票処理装置に取付ける処理ユニットを提供することにある。
【０００６】
【課題を解決するための手段】
本発明は、帳票を給紙又は排紙するための複数の給排紙口と、複数の給排紙口のいずれかから給紙された帳票を所定位置に搬送する第１の搬送手段と、磁気テープから所定の情報を読取る例えばＭＳヘッド及びＭＳヘッド制御部である第１の情報読取手段と、帳票に印字された情報を読取るスキャナ及びスキャナ制御部である第２の情報読取手段と、印字情報に基づいて帳票に印字を行う印字ヘッド及び印字ヘッド制御部である印字手段と、印字手段で印字情報が印字された帳票を帳票が給紙された給排紙口と異なるいずれかの給排紙口から排紙するために搬送する第２の搬送手段と、第１の搬送手段と第２の搬送手段とを切換える例えばフラッパである切換手段とを備えた帳票処理装置に、帳票を複数の給排紙口のいずれかに給紙する帳票給紙手段と、この帳票給紙手段で帳票を給紙した給排紙口と異なる給排紙口から排紙する帳票を収容する帳票収容手段とを具備した処理ユニットを取付けるものである。
【０００７】
【発明の実施の形態】
以下、本発明の各実施の形態について図面を参照して説明する。なお、本発明を２インサータタイプの通帳伝票プリンタ１に適用した場合で説明する。
【０００８】
（第１の実施の形態）
図１は、通帳伝票プリンタ１及びその通帳伝票プリンタ１に取付ける処理ユニット２の概略的な断面を示す図である。この処理ユニット２は通帳伝票プリンタ１に脱着可能に取付けることができるようになっている。
【０００９】
通帳伝票プリンタ１には、帳票（通帳又は伝票）を給紙又は排紙するための２つの給排紙口が設けられている。これらの給排紙口は通帳と伝票とを同時に処理する場合には、上側に配置された給排紙口１１は伝票の給紙又は排紙が行われ、下側に配置された給排紙口１２は通帳の給紙又は排紙が行われる。下側の給排紙口１２から給紙された帳票は通帳伝票プリンタ１内を搬送される。この帳票が搬送されるときの搬送路には、帳票を給紙する手前側から奥側へと、搬送路の所定位置下方にＭＳ（磁気テープ）ヘッド１３（第１の情報読取手段）、搬送路の上方にスキャナ１４（第２の情報読取手段）、搬送路の上方に印字ヘッド１５（印字手段）が配置されている。また、ＭＳヘッド１３とスキャナ１４との間の搬送路上方にはフラッパ１６（切換手段）が配置されている。このフラッパ１６は、下側の給排紙口１２から印字ヘッド１５まで搬送された帳票を印字ヘッド１５で所定の印字情報を印字した後に通帳伝票プリンタ１外部へ排紙するために搬送するときに、その帳票を上側の給排紙口１１から排出するために搬送路の切換えを行う。フラッパ１６が図中上側に切換えられているときは、下側の給排紙口１２、ＭＳヘッド１３、スキャナ１４、印字ヘッド１５を帳票が通過するように搬送路が形成され（第１の搬送手段）、フラッパ１６が図中下側に切換えられているときは、印字ヘッド１５、スキャナ１４、上側の給排紙口１１と帳票が通過するように搬送路が形成される（第２の搬送手段）。なお、図示しないが、搬送路には伝票を搬送するための搬送ローラが所定位置に複数個設けられている。また、下側の給排紙口１２近傍には、給紙された帳票を検出するための吸入センサ１７と、帳票の吸入を行うための吸入モータ１８が配置されている。さらに、フラッパ１６の下流側には搬送路を挟んでセンサ１９が配置されている。
【００１０】
処理ユニット２は、帳票を積載する積載部２１に積載された帳票を１枚づつ通帳伝票プリンタ１に給紙する帳票給紙機構２２（帳票給紙手段）と、通帳伝票プリンタ１から排紙された帳票を収容部２３に収容する帳票収容機構２４（帳票収容手段）とを有している。また、帳票給紙機構２２で給紙する帳票は通帳帳票プリンタの下側の給排紙口１２に給紙されると共に通帳伝票プリンタ１の上側の給排紙口１１から排紙された帳票は帳票収容機構２４で収容されるように帳票給紙機構２２及び帳票収容機構２４は処理ユニット２内に配置されている。従って、帳票給紙機構２２より帳票収容機構２４が処理ユニット２内で上側に配置されている。図示しないが、この帳票給紙機構２２と帳票収容機構２４とは、水平方向の面積は略等しく構成され、処理ユニット２の上部、すなわち、帳票収容機構２４の上部は開口して構成されている。なお、帳票収容機構２４の上部は開口可能な構成としても勿論良い。また、帳票給紙機構２２と帳票収容機構２４を制御するための機構制御部２５が設けられている。この機構制御部２５に供給する電源は、例えば、コネクタ２６を介して外部から供給されるようになっている。
【００１１】
帳票給紙機構２２は、帳票を積載するための積載部２１、この積載部２１に積載された帳票を１枚ずつ給紙するためのホッパ部２７を有している。このホッパ部２７は、帳票を通帳伝票プリンタ１の下側の給排紙口１２に給紙するためのホッパ部モータ２７ａ、給紙する帳票を検出するためのホッパ部センサ２７ｂ等で構成されている。また、帳票収容機構２４は、帳票を収容するための収容部２３、この収容部２３に帳票を収容するためのスタッカ部２８を有している。スタッカ部２８は、通帳伝票プリンタ１の上側の給排紙口１１から排紙された帳票を検出するためのスタッカ部センサ２８ｂと、スタッカ部センサ２８ｂで検出された帳票を収容部２３へ収容するためのスタッカ部モータ２８ａ等で構成されている。
【００１２】
図２は、通帳伝票プリンタ１及び処理ユニット２の制御構成を概略的に示す図である。
通帳伝票プリンタ１には、ＣＰＵ３１、ＲＯＭ３２、ＲＡＭ３３、センサ制御部３４、センサ部３５、印字ヘッド制御部３６、印字ヘッド１５、スキャナ制御部３７、スキャナ１４、ソレノイド制御部３８、フラッパ１６、ＭＳヘッド制御部３９、ＭＳヘッド１３、操作制御部４０、操作部４１、モータ駆動制御部４２、モータ部４３、表示制御部４４、表示部４５及び電源４６が設けられている。また、ＣＰＵ３１と、ＲＯＭ３２、ＲＡＭ３３、センサ制御部３４、印字ヘッド制御部３６、スキャナ制御部３７、ソレノイド制御部３８、ＭＳヘッド制御部３９、操作制御部４０、モータ駆動制御部４２はバスライン４７を介して接続されている。
【００１３】
ＣＰＵ３１は、ＲＯＭ３２に記憶された制御プログラムを実行することにより通帳伝票プリンタ１としての各種動作を制御する。ＲＯＭ３２にはＣＰＵ３１が実行する通帳伝票プリンタ１を動作するための制御プログラムが記憶される。ＲＡＭ３３にはＣＰＵ３１がＲＯＭ３２に記憶された制御プログラムを実行するときに必要となるワークエリア等が形成されている。
【００１４】
センサ制御部３４はセンサ部３５の複数のセンサの制御を行う。この複数のセンサは透過型のセンサであり、搬送路を挟むように所定位置に配置され、搬送される帳票の検出を行う。例えば、下側の給排紙口１２の近傍に設けられた給紙される帳票の検出を行うセンサ１７、フラッパ１６が下側に切換えられたときにその先端位置より下流側に配置された帳票が通過したことの検出を行うセンサ１９である。
【００１５】
印字ヘッド制御部３６は所定の印字情報に基づいて印字ヘッド１５を制御し、印字ヘッド１５下方まで搬送された帳票に印字を行う。スキャナ制御部３７はスキャナ１４の下方まで搬送された帳票からスキャナ１４を制御してその帳票に印字された情報を読取る。ソレノイド制御部３８は、フラッパ１６を制御する。フラッパ１６は、その一部がソレノイドに固着されている。ソレノイド制御部３８は、フラッパ１６に固着されたソレノイドを動作させることにより、フラッパ１６の切換動作を制御して、帳票の搬送路の切換えを行う。ＭＳヘッド制御部３９は、ＭＳヘッド１３の上方に帳票が搬送されたときに、その帳票に貼付されたＭＳからそのＭＳに記憶されている情報を読取り又は所定の情報を書込む。操作制御部４０は操作部４１から受付けたオペレータの各種指示をＣＰＵ３１に伝える制御を行う。表示制御部４４はＣＰＵ３１から指示されたオペレータに報知すべき情報を表示部４５に表示する制御を行う。
【００１６】
モータ駆動制御部４２は、搬送路の所定位置に配置された帳票を搬送する複数のモータからなるモータ部４３の各搬送モータの駆動制御を行う。すなわち、下側の給排紙口１２から給紙された帳票を印字ヘッド１５の下方まで搬送し、所定の印字が行われた帳票を上側の給排紙口１１から排出するための各搬送モータの制御等を行う。
【００１７】
処理ユニット２には機構制御部２５、ホッパ部モータ２７ａ、ホッパ部センサ２７ｂ、スタッカ部モータ２８ａ、スタッカ部センサ２８ｂ等が設けられている。機構制御部２５にはモータ駆動制御部２５ａ、センサ制御部２５ｂ、モータ駆動制御部２５ｃ、センサ制御部２５ｄ等が設けられており、モータ駆動制御部２５ａはホッパ部モータの駆動制御と、センサ制御部２５ｂはホッパ部センサ２７ｂと、モータ駆動制御部２５ｃはスタッカ部モータ２８と、センサ制御部２５ｄはスタッカ部センサ２８ｂとそれぞれバスラインで接続されている。また、処理ユニット２を通帳伝票プリンタ１に取付けると、機構制御部２５に設けられた各制御部はバスライン４７に接続され、処理ユニット２は通帳伝票プリンタ１のＣＰＵ３１によって制御されるようになる。また、上述したように、処理ユニット２の電源２９は外部から供給されるようになっている。このように通帳伝票プリンタ１の電源ではなく外部から処理ユニット２に電源を供給する構成としたので、通帳伝票プリンタの電源が不足することはなく、通帳伝票プリンタ１に必要以上の大容量の電源を設ける必要もない。
【００１８】
モータ駆動制御部２５ａは、ホッパ部モータ２７ａを駆動制御し帳票給紙機構２２の積載部２１に積載された帳票を、例えば下側から１枚づつ通帳伝票プリンタ１の下側の給排紙口１２方向へ繰出す制御を行う。センサ制御部２５ｂはホッパ部センサ２７ｂが帳票を検出したか否かの制御を行う。センサ制御部２５ｄは、スタッカ部センサ２８ｂが通帳伝票プリンタ１から排紙された帳票を検出したか否かの制御を行う。モータ駆動制御部４２は、スタッカ部モータ２８ａを駆動制御し、スタッカ部センサ２８ｂで検出された帳票を帳票収容機構２４の収容部２３へ収容する制御を行う。
【００１９】
図３は、上述のように構成された処理ユニット２の帳票を通帳伝票プリンタ１に給紙する処理を示す流れ図である。
【００２０】
先ず、ＣＰＵ３１はモータ駆動制御部２５ａを制御してホッパ部モータ２７ａの回転駆動を開始し（ＳＴ１１）、センサ制御部２５ｂがホッパ部センサ２７ｂで帳票を検出したか否かを判断する（ＳＴ１２）。センサ制御部３４が帳票を検出するまでホッパ部モータ２７ａの回転駆動が続けられ（ＳＴ１２でＮＯ）、ＣＰＵ３１がセンサ制御部２５ｂが帳票を検出したと判断すると（ＳＴ１２でＹＥＳ）、予め規定されたモータのステップ数だけホッパ部モータ２７ａを回転させる（ＳＴ１３）。そして、ＣＰＵ３１はモータ駆動制御部２５ａを制御してホッパ部モータ２７ａの回転駆動を停止する（ＳＴ１４）。
【００２１】
図４は、通帳伝票プリンタ１に帳票が給紙され所定の処理が施された後、通帳伝票プリンタ１から排出された帳票を収容する処理を示す流れ図である。
【００２２】
先ず、ＣＰＵ３１はセンサ制御部２５ｄがスタッカ部センサ２８ｂで帳票を検出したか否かを判断する（ＳＴ２１）。センサ制御部３４が帳票を検出するまで待機状態が続き（ＳＴ２１でＮＯ）、ＣＰＵ３１がセンサ制御部２５ｄで帳票を検出したことを判断すると（ＳＴ２１でＹＥＳ）、モータ駆動制御部２５ｃを制御してスタッカ部モータ２８ａの回転駆動を開始する（ＳＴ２２）。そして、ＣＰＵ３１はセンサ制御部２５ｄがスタッカ部センサ２８ｂで帳票を検出できなったか否かを判断する（ＳＴ２３）。センサ制御部２５ｄで帳票を検出している間はスタッカ部モータ２８ａの回転駆動は続けられ（ＳＴ２３でＮＯ）、ＣＰＵ３１がセンサ制御部２５ｄが帳票を検出できなくなったことを判断すると（ＳＴ２３でＹＥＳ）、帳票を収容部２３へ収容するための距離を搬送するための予め定められた規定ステップ数のスタッカ部モータ２８ａの回転駆動を行い（ＳＴ２４）、スタッカ部モータ２８ａの回転駆動を停止する（ＳＴ２５）。
【００２３】
続いて、このように構成された通帳伝票プリンタ１及び処理ユニット２で伝票を大量に処理する場合の動作を説明する。
【００２４】
オペレータは所定の処理業務を行うときに通帳伝票プリンタ１に処理ユニット２を取付ける。そして、オペレータは処理ユニット２の帳票給紙機構２２の積載部２１に処理する大量の伝票を積載し、通帳伝票プリンタ１の操作部４１を操作して、所定の処理を実行する命令を入力する。
【００２５】
この命令が入力されると、処理ユニット２は、ホッパ部モータ２７ａを駆動して積載された伝票の下側の一枚を繰出す。そして、ホッパ部センサ２７ｂで伝票が検出された後、伝票は所定距離搬送され、通帳伝票プリンタ１の下側の給排紙口１２に給紙される。このように給紙された伝票は、ＭＳヘッド１３上方まで搬送されＭＳヘッド１３で帳票のＭＳから情報が読取られる。そして、帳票は所定の情報が読取られた後さらに下流側に搬送される。帳票がフラッパ１６より下流側に搬送され帳票の搬送路を挟んで設けられたセンサ１９を通過すると、搬送路が上側の給排紙口１１へと形成されるようにフラッパ１６が下側に切換えられる。
【００２６】
そして、１枚目の伝票はスキャナ１４で印字された情報が読取られた後、印字ヘッド１５で所定の印字情報が印字される。このとき、２枚目の伝票が処理ユニット２から給紙され帳票に貼付されたＭＳからＭＳヘッド１３で情報の読取りが行われる。
【００２７】
１枚目の伝票への印字情報の印字が終了すると、１枚目の伝票は上側の給排紙口１１へと搬送される。そして、フラッパ１６部の下流側にあるセンサ１９を１枚目の伝票が通過すると、搬送路が下側の給排紙口１２へと形成されるようにフラッパ１６が上側に切換えられる。
【００２８】
そして、１枚目の伝票が上側の給排紙口１１から排紙するために搬送されると共にＭＳヘッド１３で貼付されたＭＳから情報の読取りが終了した２枚目の伝票がスキャナ１４、印字ヘッド１５へと搬送される。そして、２枚目の伝票がフラッパ１６の下流側にあるセンサ１９を通過すると、搬送路が上側の給排紙口１１と形成されるようにフラッパ１６が下側に切換えられる。
【００２９】
また、上側の給排紙口１１から排出された１枚目の伝票は、処理ユニット２のスタッカ部センサ２８ｂで検出された後、スタッカ部モータ２８ａにより帳票収容機構２４の収容部２３で収容される。この動作を行っているときに、ホッパ部モータ２７ａを駆動して積載された伝票の下側の一枚を繰出し、通帳伝票プリンタ１に３枚目の伝票を給紙する。
【００３０】
このようにＭＳヘッド１３より下流側にフラッパ１６を配置しこのフラッパ１６を切換え動作することにより、下側の給排紙口１２又は上側の給排紙口１１と帳票を搬送する搬送路がそれぞれ形成されるように構成し、上述した動作を繰り返すことにより、帳票給紙機構２２の積載部２１に積載された大量の伝票を自動的かつ連続的に並行処理し、帳票収容機構２４の収容部２３に収容することができる。
【００３１】
この通帳伝票プリンタ１及びこの通帳伝票プリンタ１に取付ける処理ユニット２によると、処理ユニット２の帳票給紙機構２２の積載部２１に積載された大量の帳票を連続的に処理して、処理した帳票を処理ユニット２の帳票収容機構２４の収容部２３に収容することにより、帳票の連続処理を並行的に行うことができる。
【００３２】
また、処理ユニット２を通帳伝票プリンタ１の外部に処理ユニット２として取付ける構成のため通帳伝票プリンタ１の機構の大幅な変更を行うことなく、また、構造を複雑にする必要がないので、大量の帳票を連続的に処理する業務を行うための構成を付加することに対するコストアップを抑えることができる。
【００３３】
さらに、金融機関等の窓口に設置されることも多い通帳伝票プリンタ１は機器サイズを小さくする必要があるが、処理ユニット２を脱着可能な構成としてあり必要な時に取付可能としている構成に加え、処理ユニット２の帳票給紙機構２２と帳票給紙機構２２を水平方向に略等しい大きさで上下に配置したことで処理ユニット２の機器サイズを必要最小限に抑えることができるので、機器サイズを小さくするという要求を満たすことができる。
【００３４】
さらに、帳票収容機構２４を帳票給紙機構２２より上側に配置すると共に処理ユニット２の上部を開口したものとしているため、エラー等が生じたときに、オペレータは容易にその帳票を取出し確認することができる。また、収容部２３に収容された帳票をオペレータがさらに処理する場合もあるので、この構成によりオペレータの作業を容易にすることができる。
【００３５】
（第２の実施の形態）
次に、第２の実施の形態について述べる。なお、前述した実施の形態と同一の部分には同一の符号を付し詳細な説明は省略する。
図５は第２の実施の形態の通帳伝票プリンタ１の概略的な断面を示す図である。この通帳伝票プリンタ１の処理ユニット２は、帳票給紙機構２２、２４´と上下に２つ設けてあり、通帳伝票プリンタ１の上側の給排紙口１１及び下側の給排紙口１２の両方から給紙できる構成となっている。帳票給紙機構２４´が帳票給紙機構２２の上側に配置されており、帳票給紙機構２４´は、図示しないが、例えば帳票をバネつきの台が設けられた収容部２３´に収容し、その収容部２３´の上部に設けられたモータと収容部２３´に収容された帳票の一番上側の帳票が接するようになっており、前記モータを回転駆動することにより帳票を１枚ずつスタッカ部モータ２８ａに給紙するようになっている。なお、この実施の形態ではスタッカ部モータ２８ａは前記実施の形態とは逆方向に回転するものとする。また、通帳伝票プリンタ１の搬送路の２つの給排紙口１１、１２と反対側には、帳票収容機構としてスタッカ５１を取付けられる構成となっている。
【００３６】
このように構成された通帳伝票プリンタ１及びこの通帳伝票プリンタ１に取付ける処理ユニット２によると、処理ユニット２の２つの帳票給紙機構２２、２４´に積載及び収容された大量の帳票を通帳伝票プリンタ１に連続的に給紙して処理を行い、外部に取付けた処理ユニット２のスタッカ５１に処理された帳票を収容することにより、さらに効率良く帳票の連続処理を並行的に行うことができる。ＭＳヘッド１３で帳票に貼付されたＭＳから情報の読取りや書込みを行わない処理の場合には特に有効である。
【００３７】
なお、この発明は、上記実施の形態そのままに限定されるものではなく、実施段階ではその要旨を逸脱しない範囲で構成要素を変形して具体化できる。また、上記実施形態に開示されている複数の構成要素の適宜な組み合わせにより種々の発明を変形できる。
【００３８】
【発明の効果】
以上説明したように本発明によれば、機構の大幅な変更を行わずに低コストにすると共に機器サイズを最小限にとどめて帳票の連続処理を可能とする帳票処理装置、その帳票処理装置に取付ける処理ユニットを提供できる。
【図面の簡単な説明】
【図１】本発明の第１の実施の形態における通帳伝票プリンタ及び処理ユニットの概略的な断面を示す図。
【図２】同実施の形態における通帳伝票プリンタ及び処理ユニットの概略的な制御構成を示す図。
【図３】同実施の形態における処理ユニットの給紙処理を示す流れ図。
【図４】同実施の形態における処理ユニットの収容処理を示す流れ図。
【図５】本発明の第２の実施の形態における通帳伝票プリンタ及び処理ユニットの概略的な断面を示す図。
【符号の説明】
１…帳票伝票プリンタ、２…処理ユニット、１１…上側の給排紙口、１２…下側の給排紙口、１３…ＭＳヘッド、１４…スキャナ、１５…印字ヘッド、１６…フラッパ、２２…帳票給紙機構、２４…帳票収容機構
【図１】
2005040973.tif 000003
【図２】
2005040973.tif 000004
【図３】
2005040973.tif 000005
【図４】
2005040973.tif 000006
【図５】
2005040973.tif 000007